(57)【要約】【課題】  従来カメラのファインダ光学系の構成だと、ファインダのピント調整や測光センサのセンター調整、スーパーインポーズ投光調整などのファインダ光学系の調整を行うには、カメラ本体を必要とし、その他のカメラ本体で行わなければならない調整を加味すると、カメラ本体組み立て時の調整工程にかなりの時間を費やす必要がある。【解決手段】  本発明は、フォーカシングスクリーン、ペンタプリズム、接眼レンズなどファインダ光学系を構成する複数の光学部材と、これら光学部材を保持する保持部材と、ファインダ内表示装置と、測光装置とを有するカメラにおいて、光学部材と、保持部材と、ファインダ内表示装置と、測光装置とが、カメラ本体から独立した１つのユニットとして構成される。また、上記ファインダユニットは、前側と後ろ側でカメラ本体に固定される。【選択図】  図３
2006201456.tif 000002
【特許請求の範囲】
【請求項１】
ファインダ光学系を構成する複数の光学部材と、これら光学部材を保持する保持部材と、ファインダ内表示装置と、測光装置とを有するカメラにおいて、前記光学部材と保持部材とファインダ内表示装置と測光装置とが、カメラ本体から独立した１つのユニットとして構成されることを特徴とするカメラ。
【請求項２】
前記光学部材を保持する保持部材が複数あり、該保持部材同士が、別部材を介することなく直接に固定されていることを特徴とする請求項１に記載のカメラ。
【請求項３】
前記光学部材はフォーカシングスクリーン、ペンタプリズムもしくは中空ペンタミラー、複数の接眼レンズである請求項１又は２に記載のカメラ。
【請求項４】
前記ファインダ内表示装置は、視野枠外に撮影情報をＬＣＤにより表示する第１の表示装置と、複数の焦点検出領域のうち選択された焦点検出領域に対して照明光を照射して、この焦点検出領域をファインダ視野内にスーパーインポーズ表示させる第２の表示装置とから成る請求項１乃至３のいずれかに記載のカメラ。
【請求項５】
前記ユニットは、最も外側の接眼レンズ下部近傍でカメラ本体構成部材に固定されていることを特徴とする請求項１乃至４のいずれかに記載のカメラ。
【発明の詳細な説明】
【技術分野】
【０００１】
本発明は、カメラ特に一眼レフカメラのファインダのユニット構造に関する。
【背景技術】
【０００２】
一眼レフカメラのファインダ光学系は、主としてフォーカシングスクリーン、ペンタプリズム、接眼レンズ群から成り立っている。従来、これらの光学部材の保持構造としては、光学部材をカメラ本体へ直付けする構成、およびカメラ本体とは異なる保持部材に保持し、その保持部材をカメラ本体に取り付ける構成を組み合わせて成り立っている。例えば、フォーカシングスクリーンとペンタプリズムは同一保持部材に保持し、接眼レンズは別の保持部材に保持し、それぞれの保持部材をカメラ本体に取り付ける構成（例えば、特許文献１参照）、あるいはフォーカシングスクリーンとペンタプリズムはカメラ本体に直付け、接眼レンズは保持部材に保持し、それをカメラ本体に取り付ける構成（例えば、特許文献２参照）が知られている。また、光学部材の保持部材を別の部材を介してカメラ本体に取り付ける構成のものもある。
【０００３】
さらに、一般的に、一眼レフカメラのファインダ光学系の近傍には、フォーカシングスクリーンを透過した被写体光を受光素子で受光して測光するタイプの測光装置、複数の焦点検出領域のうち選択された焦点検出領域に対して照明光を照射して、この焦点検出領域をファインダ視野内にスーパーインポーズ表示させるスーパーインポーズ表示装置、ファインダ視野枠外に撮影情報をＬＣＤにより表示するファインダ内情報表示装置が取り付けられている。
【特許文献１】特開平１１−７２８１７号公報
【特許文献２】特開２００４−１０９５３６号公報
【発明の開示】
【発明が解決しようとする課題】
【０００４】
しかしながら、ファインダ光学系が上記従来構成であると、ファインダのピント調整や測光センサのセンター調整、スーパーインポーズ投光調整などのファインダ光学系の調整を行うには、カメラ本体を必要とし、その他のカメラ本体で行わなければならない調整を加味すると、カメラ本体組み立て時の調整工程にかなりの時間を費やす必要がある。
【０００５】
また、従来は、それぞれの接眼レンズ同士の光軸がずれやすい構成であるため、光軸ずれに対して敏感なレンズ、つまりパワーの大きなレンズを接眼レンズとして採用することは困難である。ゆえに、接眼レンズのパワーを上げてレンズ枚数を減らすといった、ファインダ倍率を落とさずにファインダ光学系を小型化するための手法を取ることが出来ない。
【０００６】
さらに、ファインダ内部へのごみの侵入を防止するために、組み立てをクリーンルーム内で行う必要があるが、従来構成であると、カメラ本体ごとクリーンルームに入れて作業を行わなければならず、組立工程に無駄があった。また、組み立て後も、光学部品同士の隙間に外部からゴミが侵入しやすいという問題があった。
【０００７】
そこで、本発明は、カメラ本体に係り無く、ファインダユニット単体で各種調整（ファインダのピント調整、測光センサのセンター調整、スーパーインポーズ投光調整）を行うことができ、ファインダ倍率を落とさずにファインダ光学系を小型化でき、さらにはファインダ光学系とカメラ本体を別々に組立けてファインダユニットのみクリーンルームで組立できるようにし、外部からのゴミの侵入を抑制したファインダユニットを提供することを目的としている。
【課題を解決するための手段】
【０００８】
上記の目的を達成するため、本発明は、ファインダ光学系を構成する複数の光学部材と、これら光学部材を保持する保持部材と、ファインダ内表示装置と、測光装置とを有するカメラにおいて、前記光学部材と保持部材とファインダ内表示装置と測光装置とが、カメラ本体から独立した１つのユニットとして構成されることを特徴とする。
【発明の効果】
【０００９】
以上説明したように、本発明によれば、カメラ本体に係り無く、ファインダユニット単体で各種調整（ファインダのピント調整、測光センサのセンター調整、スーパーインポーズ投光調整）を行うことができる。よって、その他のカメラ本体で行わなければならない調整と同時進行でファインダ系の調整を行うことができ、カメラ本体組み立て時の調整工程の短縮化を図ることができる。
【００１０】
また、それぞれの接眼レンズが一つの保持部材に固定される構成、もしくは接眼レンズの固定された保持部材同士が直結される構成になっているため、それぞれの接眼レンズ同士の光軸がずれにくく、光軸ずれに対して敏感なレンズ、つまりパワーの大きなレンズを接眼レンズとして採用することができる。よって、ファインダ倍率を落とさずに接眼レンズ枚数を減らすことができ、その結果、ファインダ光学系を小型化することができる。さらには、ファインダ像の歪みなどを抑えることができ、ファインダの見えそのものを良くすることができる。
【００１１】
また、ファインダ光学系とカメラ本体とを別々に組立てることが出来るので、ファインダ内部へのごみの侵入を防止するために、ファインダユニットのみクリーンルームで組立を行えばよく、組立工程に無駄がなくなる。さらに、ファインダユニットとして、各種部材を一体化しておけるので、部材同士の隙間が少なく、ごみの侵入防止につながる。
【００１２】
また、これまでに述べてきたファインダユニットは比較的大きな構造物であり、一般的に外力が加わった場合、その変形も大きくなる。しかし、ファインダユニットは、最も外側の接眼レンズ下部近傍でカメラ本体構成部材に固定されているので、最も外側の接眼レンズ保持部材に鉛直方向、もしくはカメラ長手方向に力が加わった場合においても、本体構成部材がその力に抗してくれるため、ファインダユニットの変形を防ぐことが出来る。
【発明を実施するための最良の形態】
【００１３】
以下、本発明における実施形態について図面を参照して詳細に説明する。ここでは本発明を適用したカメラ、この実施形態ではデジタル一眼レフカメラを例にして説明する。図１は本発明における実施形態であるカメラの中央断面図である。図２はファインダユニットの組立状態の中央断面図である。図３はファインダユニットの分解斜視図である。
【００１４】
これらの図において、１はカメラ本体、２はカメラ本体１に固着されるファインダ光学系の基準となるミラーボックス、３は交換レンズで、マウントを介してカメラ本体１に着脱可能に装着されている。４はミラーボックス２に対して回動自在に取り付けられたミラーユニットで、メインミラー５とサブミラー６とが接着保持されている。交換レンズ３を透過した光束は、カメラ本体１内のメインミラー５に届く。メインミラー５はハーフミラーになっており、このメインミラー５で反射した光束は、上方のファインダ光学系へと導かれる。一方、メインミラー５を透過した光束は、サブミラー６によって下方へ反射され、焦点検出装置７へと導かれる。本実施形態における焦点検出装置７は、公知の位相差検出方式を用いて焦点調節状態を検出しており、ファインダ視野内の複数の領域（例えば７箇所）を焦点検出領域としている。また、メインミラー５およびサブミラー６の後方には、漏出光を制限するシャッタユニットのアパーチャマスク８が配置されており、この開口部はシャッタ先幕９により非露光時に閉じられている。これらの後方には、光学ローパスフィルタおよび赤外線カットフィルタを一体化した光学フィルタ１０が配置されている。そして、被写体露光時には、シャッタ先幕９が開いた状態においてアパーチャマスク８の開口部を通過し、光学フィルタ１０を透過した光束は、その後方に配置された撮像素子１１上に結像する。結像した被写体像の光量に応じ、撮像素子１１の各センサエレメントに電荷が蓄積され、不図示の電荷読出し回路で変換された撮像データ電荷を撮像素子の水平ライン毎に走査読出しを行う。シャッタ後幕１２は所定の露光時間に応じて撮像素子１１への光束を再び遮断する。撮像素子１１から出力される電圧信号、すなわちアナログ信号は、Ａ／Ｄ変換や圧縮等の公知の信号処理を行い、最終的にカメラに着脱可能な記録媒体にデジタル信号として記録される。
【００１５】
ファインダ光学系およびその周辺（ファインダユニット１１１）は図２、図３に示すように以下の部材から成り立っている。１３は、光入射面にフレネルレンズ面１３ａ、光射出面にマット面１３ｂを有する交換可能なフォーカシングスクリーンである。なお、フォーカシングスクリーン１３上には、すでに述べたように７つの焦点検出枠１３ｃが形成されている。１４はペンタミラー保持部材で、ミラーボックス２に固着されており、ファインダ光学系に関する様々な部材が取り付けられるファインダユニット１１１の基準となる部材である。１５はペンタミラー保持部材１４に回動可能に支持された保持枠であり、この保持枠１５は、装着されたフォーカシングスクリーン１３をピントの基準となるペンタミラー保持部材１４の面に圧接付勢させる板バネ１５ａと引っかけ部１５ｂとを有する。１６は保持枠１５を所定位置にセットするために保持枠１５の引っかけ部１５ｂに係合する係合部材である。この係合部材１６から引っかけ部１５ｂを外すことで保持枠１５が所定位置から外れるので、この状態で保持枠１５に対するフォーカシングスクリーン１３の着脱が可能となる。１７は開口部を有する視野マスクであり、ファインダ視野の画面の境界を規定する。１８はスペーサ、１９はペンタダハミラー、２０は第３反射ミラーである。このペンタダハミラー１９のダハ面および第３反射ミラー２０にはファインダ光学系光束において必要な範囲に高反射アルミ蒸着が施されており、両者は接着固定され、中空ペンタミラーを形成している。２１はマスクで、必要なファインダ光束以外の光束をカットする機能を有する。２２ａ、２２ｂ、２２ｃは接眼レンズであって、これらはフォーカシングスクリーン１３、ペンタダハミラー１９、第３反射ミラー２０とともにファインダ光学系を構成している。つまり、フォーカシングスクリーン１３のマット面１３ｂは撮影光学系の予定結像面に配置されており、被写体像が投影される。そして、ペンタダハミラー１９、第３反射ミラー２０は、フォーカシングスクリーン１３に投影された被写体像を集光し正立正像に変更して接眼レンズ群２２に導く。撮影者は、接眼レンズ群２２を介して被写体像を観察することができる。接眼レンズ２２ａはペンタミラー保持部材１４に保持されており、接眼レンズ２２ｂ、２２ｃは接眼レンズ保持部材２３ｂ、２３ｃにそれぞれ保持されている。保持部材２３ｂは、ペンタミラー保持部材１４にファインダ光軸に沿って前後移動可能に支持され、さらに圧縮コイルバネ２４により付勢され、安定して所望の位置へ移動できる。接眼レンズ群２２の上部には、公知の測光装置、つまり被写体輝度を測定するための測光レンズ２５、測光センサ２６および赤外カットフィルタ２７が配置されている。２８は板ばねにより形成され、測光センサ２６を圧接付勢している。接眼レンズ群２２の下部には、カメラ本体構成部品の一つである金属プレート３６があり、ミラーボックス２に固着されている。そして、保持部材２３ｃには、金属プレート３６を挟みながらビス締めされている。また、接眼レンズ群２２の下部には、ファインダ視野外に撮影情報を表示するためのファインダ内情報表示用のＬＣＤ２９と、不図示のファインダ内情報表示用のＬＥＤと、そのＬＥＤの導光板３０と、ＬＣＤ２９の透過光をファインダに導くための三角プリズム３１とが配置されている。そして、ファインダ内情報表示用ＬＣＤ２９の電極部は、コネクタ３７によりフレキシブルプリント基板３８と圧着され、電気的に接続されている。フレキシブルプリント基板３８は、ペンタミラー保持部材１４の下に配置され、そして、ペンタミラー保持部材１４と金属プレート３６とで形成される隙間に配置され、その後、横方向（紙面に垂直）に配置され、不図示の液晶表示制御回路に接続されている。測光レンズ２５の上部には、公知のスーパーインポーズ表示用の照明装置、つまりスーパーインポーズ用のレンズ３２および不図示のスーパーインポーズ照明用のＬＥＤ、さらには不図示の絞りが配置されている。このＬＥＤはフォーカシングスクリーン１３上に形成された７つの焦点検出領域に対応して設けられた７つのチップタイプＬＥＤで構成されている。また絞りは、スーパーインポーズ照明用のＬＥＤからの不用な照明光によりゴーストが発生するのを防止している。
【００１６】
次に図２、３を用いて、ファインダ光学系用部品の組み付け（ファインダユニット１１１の組立）について説明する。まず、ペンタミラー保持部材１４のファインダー光路窓１４ａの後ろ側に三角プリズム３１を接着固定する。次に、ペンタミラー保持部材１４の棚部１４ｂに上方から視野マスク１７を置き、さらに中空ペンタミラー（ペンタダハミラー１９および第３反射ミラー２０）を落とし込み、ペンタダハミラー１９の精度面１９ａをペンタミラー保持部材１４の精度面１４ｃに突き当てる。その際、ペンタダハミラー１９の後壁部１９ｂをペンタミラー保持部材１４の中空ペンタミラー取付壁１４ｄに突き当てた状態にする。そして、ペンタミラー保持部材と中空ペンタミラーとの隙間をシリコン接着で封止する。接眼レンズ群に関しては、まず、ペンタダハミラー１９の後壁部１９ｂの後ろ近傍に接眼レンズ２２ａを配置し、ペンタミラー保持部材１４に接着固定する。そして、ペンタダハミラー１９と接眼レンズ２２ａの間にマスク２１を配置し、ペンタミラー保持部材１４に係合させる。次に、接眼レンズ２２ｂを接眼レンズ保持部材２３ｂに接着固定し、それらをペンタミラー保持部材１４に取り付ける。その際、ペンタミラー保持部材１４と接眼レンズ保持部材２３ｂの間に圧縮コイルバネ２４を挟み込ませる。この構成にすることで接眼レンズ２２ｂは、前述したように、圧縮コイルバネ２４により付勢保持されながらファインダ光軸に沿って前後に移動することができ、公知の視度調節手段（不図示）により視度調節を行うことが出来る。最後に、接眼レンズ２２ｃを接眼レンズ保持部材２３ｃに接着固定し、それらをペンタミラー保持部材１４に固着させる。一方、フォーカシングスクリーンに関しては、まずファインダのピント調整用のスペーサ１８をピントの基準となるペンタミラー保持部材１４の棚部１４ｅに下方から突き当て、続いてフォーカシングスクリーン１３をスペーサ１８に突き当てる。さらに、下方から保持枠１５をペンタミラー保持部材１４に前述したように回動させながら取り付けることにより、フォーカシングスクリーン１３およびスペーサ１８は下方から付勢圧接される。この時、スペーサ１８の厚みは、フォーカシングスクリーン１３のマット面１３ｂが撮影光学系の予定結像面になるようにファインダのピント調整を行うことで決定される。ファインダ内情報表示装置に関しては、構成部品（ＬＣＤ２９やＬＥＤ導光板３０など）を不図示のＬＣＤ保持部材に収め、それをペンタミラー保持部材１４に下から突き当て、固定する。測光装置およびスーパーインポーズ表示装置に関しては、まずこれらの装置を構成する部品の中枢となる保持部材３３に対して、前方より、測光レンズ２５を装着用フランジ２５ａを介して位置決め接着固定する。次に保持部材３３に対して上方より、スーパーインポーズ用のレンズ３２を装着用の腕部３２ａを介して位置決め接着固定し、さらにその上方から板ばね２８を固定する。この板ばね２８はスーパーインポーズ用のレンズ３２の蓋部材となっており、遮光の働きをする。また、センサ保持部材３４に対して後方より、赤外カットフィルタ２７を接着固定し、続いて測光センサ２６を接着固定する。そして、これらの部品が取り付いたセンサ保持部材３４を、保持部材３３に板ばね２８により付勢圧接させ、仮止めする。その後、様々な部品の組み込まれた保持部材３３をペンタミラー保持部材１４にビス締め固定する。そして、以下の２つの調整を行う。１つは、測光センサの測光感度分布の感度ピークが測光領域の中央になるように測光センサーを移動、配置させるセンター調整で、調整後、仮止めしていたセンサ保持部材３４を接着剤を用いて保持部材３３に固定する。もう１つは、スーパーインポーズ照明用ＬＥＤ３５の７つのチップタイプＬＥＤがレンズ３２を介して、各々対応するフォーカシングスクリーン１３上に形成された７つの焦点検出領域を照射するようにＬＥＤ３５を移動、配置させるスーパーインポーズ投光調整で、調整後、接着剤を用いて保持部材３３の側面に固定する。なお、ＬＥＤ３５を専用の保持部材によって保持し、それらを調整、そして保持部材３３に接着固定してもよい。
【００１７】
上記のように、ファインダ光学系用部品の組み付けおよび調整を行い、ファインダユニット１１１が完成する。そして、このファインダユニット１１１をミラーボックス２に上方より挿入し、ミラーボックス２およびペンタミラー保持部材１４の各々３ヶ所の精度面を密着させ、ビス締め固定する。さらに、ミラーボックス２に固定された金属プレート３６を挟み込むようにして、接眼レンズ保持部材２３ｃを下方より２ヶ所でビス締めする。なお、保持部材２３ｃの代わりにペンタミラー保持部材１４を、金属プレート３６を挟み込むようにして、ビス締めしてもよい。また、ビス締め箇所は２ヶ所に限らず１ヶ所でも良い。
【００１８】
なお、本発明は図示実施例による部品構成（接眼レンズの枚数、測光装置やスーパーインポーズ表示装置の配置など）に限定されるものではなく、ファインダユニットとしてカメラ本体から独立した構成であればよい。
【図面の簡単な説明】
【００１９】
【図１】本発明における実施形態であるカメラの中央断面図である。
【図２】本発明における実施形態であるカメラのファインダユニットの組立状態の中央断面図である。
【図３】本発明における実施形態であるカメラのファインダユニットの分解斜視図である。
【符号の説明】
【００２０】
１  カメラ本体
２  ミラーボックス
３  交換レンズ
４  ミラーユニット
５  メインミラー
６  サブミラー
７  焦点検出装置
１１  撮像素子
１３  フォーカシングスクリーン
２２ａ、２２ｂ、２２ｃ  接眼レンズ
２６  測光センサ
２９  ファインダ内情報表示用ＬＣＤ
３３  保持部材
１１１  ファインダユニット
【図１】
2006201456.tif 000003
【図２】
2006201456.tif 000004
【図３】
2006201456.tif 000005